【手続補正書】
【提出日】平成24年9月7日(2012.9.7)
【手続補正１】
【補正対象書類名】特許請求の範囲
【補正対象項目名】全文
【補正方法】変更
【補正の内容】
【特許請求の範囲】
【請求項１】
表示装置と、
前記表示装置への画像の表示を伴う処理を実行するための処理実行手段と、
前記処理実行手段により前記表示装置に表示される画像を他の装置と共有するために、当該他の装置との間で通信を行なう通信装置と、
前記通信装置を介して他の装置と接続中に、第１の接続モードと第２の接続モードとの間で自動的に前記他の装置との間の接続モードを切替えるための手段と、
前記第１の接続モードにおいて動作し、前記表示装置に表示された画像を前記通信装置を介して前記他の装置に送信するための第１の画像送信手段と、
前記第２の接続モードにおいて動作し、前記表示装置に表示される画像とは別に画像を作成して前記通信装置を介して前記他の装置に送信するための第２の画像送信手段とを含む、情報処理装置。
【請求項２】
前記通信装置は、
他の装置と接続するように指示されたことに応答して、他の装置に対して、当該他の装置の有する表示機器の表示性能に関する表示機器情報を問合せるための問合せ手段と、
前記問合せ手段による問合せに応答して他の装置から前記表示機器情報を受信したことに応答して、所定の解像度で画面データを通信可能なように、前記表示機器情報を送信してきた前記他の装置との間での接続を確立するための接続確立手段と、
前記接続確立手段による接続が確立したことに応答して、前記他の装置との間の接続モードを前記第１の接続モードに設定し、前記第１の画像送信手段を能動化するための手段と、
前記第１及び第２の画像送信手段のいずれかから画像を受けたことに応答して、当該画像を前記他の装置に送信するための手段とを含む、請求項１に記載の情報処理装置。
【請求項３】
前記通信装置は、
他の装置と接続するように指示されたことに応答して、他の装置に対して、当該他の装置の有する表示機器の表示性能に関する表示機器情報を問合せるための問合せ手段と、
前記問合せ手段による問合せに応答して他の装置から前記表示機器情報を受信したことに応答して、所定の解像度で画面データを通信可能なように、前記表示機器情報を送信してきた前記他の装置との間での接続を確立するための接続確立手段と、
前記接続確立手段による接続が確立したことに応答して、前記他の装置との間の接続モードを前記第２の接続モードに設定し、前記第２の画像送信手段を能動化するための手段と、
前記第１及び第２の画像送信手段のいずれかから画像を受けたことに応答して、当該画像を前記他の装置に送信するための手段とを含む、請求項１に記載の情報処理装置。
【請求項４】
前記表示機器情報は、前記表示機器で表示可能な最大解像度に関する情報を含み、
前記所定の解像度は、前記表示機器情報に含まれる前記表示機器の最大解像度と所定の関係を持つ解像度である、請求項２又は請求項３に記載の情報処理装置。
【請求項５】
前記所定の解像度は、前記表示機器情報に含まれる前記表示機器の最大解像度と等しい、請求項２又は請求項３に記載の情報処理装置。
【請求項６】
前記第２の画像送信手段は、前記第２の接続モードにおいて動作し、前記表示装置に表示される画像とは別に、前記表示機器情報に含まれる前記表示機器の最大解像度の画像を作成して前記通信装置を介して前記他の装置に送信するための手段を含む、請求項３又は請求項５に記載の情報処理装置。
【請求項７】
前記表示機器情報は、前記表示機器により前記情報処理装置から送信される画像が表示されるウィンドウで表示可能な最大解像度に関する情報を含み、
前記所定の解像度は、前記ウィンドウの最大解像度と等しい、請求項２又は請求項３に記載の情報処理装置。
【請求項８】
前記通信装置が、前記他の装置から所定の信号を受信したことに応答して、当該所定の信号を前記情報処理装置に対する仮想的な入力として処理するための仮想入力処理手段をさらに含む、請求項１〜請求項７のいずれかに記載の情報処理装置。
【請求項９】
前記情報処理装置はさらに、
利用者の操作に応答して、前記情報処理装置に対する操作指示信号を発生するための入力手段と、
前記入力手段により発生された前記操作信号に応答して、予め定められた処理を実行するための操作実行手段とを含み、
前記仮想入力処理手段は、前記通信装置を介して受信された前記所定の信号から得られた前記仮想的な入力を、前記入力手段で処理可能な操作指示信号に変換して前記操作実行手段に与えるための手段を含む、請求項８に記載の情報処理装置。
【請求項１０】
前記仮想入力処理手段は、前記第１の動作モード及び前記第２の動作モードのいずれにおいても機能する、請求項８又は請求項９に記載の情報処理装置。
【請求項１１】
前記仮想入力処理手段は、前記第２の動作モードにおいて、前記他の装置から前記所定の信号を受信したことに応答して、当該所定の信号を、前記第２の画像送信手段に対する仮想的な入力として処理するための手段を含み、
前記第２の画像送信手段は、前記処理するための手段により与えられた仮想的な入力を用いた処理を実行し、その実行結果にしたがって、前記表示装置に表示される画像とは別の画像を作成して前記通信装置を介して前記他の装置に送信するための手段を含む、請求項８に記載の情報処理装置。
【請求項１２】
前記問合せ手段による問合せの送信から所定時間内に他の装置から前記表示機器情報が前記接続確立手段により受信されなかったことに応答して、前記第１及び第２の画像送信手段を停止させるための手段をさらに含み、請求項２又は請求項３に記載の情報処理装置。
【請求項１３】
前記表示機器情報は、前記他の装置で表示処理が可能なデータ形式を特定するデータ形式情報をさらに含み、
前記情報処理装置はさらに、
前記処理実行手段により前記表示装置に画像を表示するためのコンテンツデータのデータ形式が、前記他の装置で表示処理が可能なデータ形式と一致することに応答して、前記第１及び第２の画像送信手段を停止させ、前記コンテンツデータを前記通信装置を介して前記他の装置に送信するための手段を含む、請求項２又は請求項３に記載の情報処理装置。
【請求項１４】
第１及び第２の情報処理装置を含む情報処理システムであって、
前記第１の情報処理装置は、
表示装置と、
前記表示装置への画像の表示を伴う処理を実行するための処理実行手段と、
前記処理実行手段により前記表示装置に表示される画像を前記第２の情報処理装置と共有するために、前記第２の情報処理装置との間で通信を行なう通信装置と、
前記通信装置を介して前記第２の情報処理装置と接続中に、第１の接続モードと第２の接続モードとの間で自動的に前記第２の情報処理装置との間の接続モードを切替えるための手段と、
前記第１の接続モードにおいて動作し、前記表示装置に表示された画像を前記通信装置を介して前記第２の情報処理装置に送信するための第１の画像送信手段と、
前記第２の接続モードにおいて動作し、前記表示装置に表示される画像とは別に画像を作成して前記通信装置を介して前記第２の情報処理装置に送信するための第２の画像送信手段とを含み、
前記第２の情報処理装置は、
前記第１の情報処理装置の前記通信装置と通信を行なうための通信装置と、
表示装置と、
前記第１の情報処理装置の前記通信装置を介して前記第１の情報処理装置の前記第１又は第２の画像送信手段から送信された画像を前記第２の情報処理装置の前記通信装置が受信したことに応答して、当該画像を前記第２の情報処理装置の前記表示装置に表示するための手段とを含む、情報処理システム。
【請求項１５】
表示装置と、
前記表示装置への画像の表示を伴う処理を実行するための処理実行手段と、
前記処理実行手段により前記表示装置に表示される画像を他の装置と共有するために、当該他の装置との間で通信を行なう通信装置と、
前記通信装置を介して他の装置と接続中に、第１の接続モードと第２の接続モードとの間で自動的に前記他の装置との間の接続モードを切替えるためのモード切替手段と、
前記第１の接続モードにおいて動作し、前記表示装置に表示された画像を前記通信装置を介して前記他の装置に送信するための第１の画像送信手段と、
前記第２の接続モードにおいて動作し、前記表示装置に表示される画像とは別に画像を作成して前記通信装置を介して前記他の装置に送信するための第２の画像送信手段とを含む、情報処理装置における情報処理方法であって、
前記処理実行手段が、前記表示装置への画像の表示を伴う処理を実行するステップと、
前記通信装置が、前記他の装置との間で通信を確立するステップと、
前記モード切替手段が、前記通信装置を介して他の装置と接続中に、第１の接続モードと第２の接続モードとの間で自動的に前記他の装置との間の接続モードを切替えるステップと、
前記第１の画像送信手段が、前記第１の接続モードに接続モードが切替えられたことに応答して、前記表示装置に表示された画像を前記通信装置を介して前記他の装置に送信するステップと、
前記第２の画像送信手段が、前記第２の接続モードに接続モードが切替えられたことに応答して、前記表示装置に表示される画像とは別に画像を作成して前記通信装置を介して前記他の装置に送信するステップとを含む、情報処理方法。
【請求項１６】
表示装置が接続され、かつ通信装置を備えたコンピュータにより実行されると、当該コンピュータを、請求項１〜請求項１３のいずれかに記載の情報処理装置として動作させる、コンピュータプログラム。
【請求項１７】
請求項１６に記載のコンピュータプログラムを記録した、コンピュータ読取り可能な記録媒体。
【手続補正２】
【補正対象書類名】明細書
【補正対象項目名】００２２
【補正方法】変更
【補正の内容】
【００２２】
仮想入力処理手段は、他の装置から所定の信号を受けたときに、それを情報処理装置に対する仮想的な入力として処理する。このような手段を設けているため、他の機器側で行なわれた操作に対する適切な処理を情報処理装置側で行なうことができ、この情報処理装置側での操作だけでなく、他の機器側で行なわれた操作まで利用した効率的な表示を実現できる。
【手続補正３】
【補正対象書類名】明細書
【補正対象項目名】００２３
【補正方法】変更
【補正の内容】
【００２３】
情報処理装置はさらに、利用者の操作に応答して、情報処理装置に対する操作指示信号を発生するための入力手段と、入力手段により発生された操作信号に応答して、予め定められた処理を実行するための操作実行手段とを含む。仮想入力処理手段は、通信装置を介して受信された所定の信号から得られた仮想的な入力を、入力手段で処理可能な操作指示信号に変換して操作実行手段に与えるための手段を含む。